(57)【要約】【課題】電気所の警報表示試験と実際の事故との区別が可能であるとともに複数の電気所の警報表示試験を同時に行うことができる電力系統監視制御装置を提供する。【解決手段】監視制御計算機１０は、電気所の警報表示試験中は、系統監視盤１１２のベルＢＬ、ブザーＢＺおよびチャイムＣＨを鳴動させる代わりに対応操作卓１１３xに表示したベルボタン２４、ブザーボタン２５およびチャイムボタン２６を点灯させるとともに、電気所の警報表示試験中に実際の事故が発生した場合には、対応操作卓１１３xに表示したベルボタン２４、ブザーボタン２５およびチャイムボタン２６を点灯させることを止めて系統監視盤１１２のベルＢＬ、ブザーＢＺおよびチャイムＣＨを鳴動させる。【選択図】図１
2012095479.tif 000002
【特許請求の範囲】
【請求項１】
第１乃至第ｎの電気所にそれぞれ設置された第１乃至第ｎの遠方監視制御装置（１２０1〜１２０n）と通信回線（１）を介して接続された監視制御計算機（１０）と、
該監視制御計算機に接続された、かつ、前記第１乃至第ｎの電気所内の事故発生時に鳴動される警報通知手段（ＢＬ，ＢＺ，ＣＨ）を１組のみ備えた系統監視盤（１１２）と、
前記監視制御計算機に接続された複数個の操作卓（１１３1〜１１３3）とを具備し、
前記監視制御計算機が、前記第１乃至第ｎの電気所の少なくとも１つの電気所の警報表示試験中は、前記系統監視盤の前記警報通知手段を鳴動させる代わりに前記複数個の操作卓のうち該警報表示試験に使用している対応操作卓（１１３x）に表示した警報通知表示手段（２４〜２６）を点灯させるとともに、該警報表示試験中に実際の事故が発生した場合には、前記対応操作卓に表示した前記警報通知表示手段を点灯させることを止めて前記系統監視盤の前記警報通知手段を鳴動させる手段を備える、
ことを特徴とする、電力系統監視制御装置。
【請求項２】
前記警報通知手段がベル（ＢＬ）、ブザー（ＢＺ）およびチャイム（ＣＨ）であり、
前記警報通知表示手段がベルボタン（２４）、ブザーボタン（２５）またはチャイムボタン（２６）である、
ことを特徴とする、請求項１記載の電力系統監視制御装置。
【請求項３】
前記監視制御計算機が、前記第１乃至第ｎの電気所のうち複数の電気所から同時に警報表示試験の要請があった場合には、該複数の電気所の警報表示試験中は、前記系統監視盤の前記警報通知手段を鳴動させる代わりに前記複数個の操作卓のうち該複数の電気所の警報表示試験に使用している複数個の対応操作卓に表示された警報通知表示手段を点灯させるとともに、該複数の電気所の警報表示試験中に実際の事故が発生した場合には、前記複数個の対応操作卓に表示された前記警報通知表示手段を点灯させることを止めて前記系統監視盤の前記警報通知手段を鳴動させる手段を備えることを特徴とする、請求項１または２記載の電力系統監視制御装置。
【請求項４】
前記監視制御計算機が、前記複数の電気所の警報表示試験のうちの１つが電気所の新設に伴うものであれば、該複数の電気所の警報表示試験中に実際の事故が発生した場合には、前記複数個の対応操作卓のうち前記新設される電気所以外の前記対応操作卓に表示された前記警報通知表示手段についてのみ点灯させることを止める手段を備えることを特徴とする、請求項３記載の電力系統監視制御装置。
【発明の詳細な説明】
【技術分野】
【０００１】
本発明は、電力系統監視制御装置に関し、特に、電気所単位で警報表示試験を行うのに好適な電力系統監視制御装置に関する。
【背景技術】
【０００２】
従来、電力会社では、電力系統の監視および制御のために電力系統監視制御装置を制御所に設置している。
【０００３】
このような電力系統監視制御装置は、たとえば図６に示す電力系統監視制御装置１１０のように、第１乃至第ｎの電気所にそれぞれ設置された第１乃至第ｎの遠方監視制御装置（テレコン）１２０1〜１２０nと通信回線１を介して接続された監視制御計算機１１１と、監視制御計算機１１１に接続された、かつ、電気所内の事故発生時の警報通知手段であるベルＢＬ、ブザーＢＺおよびチャイムＣＨを１個ずつ備えた系統監視盤１１２と、監視制御計算機１１１に接続された第１乃至第３の操作卓１１３1〜１１３3とを具備する。
【０００４】
ここで、監視制御計算機１１１は、第１乃至第ｎの遠方監視制御装置１２０1〜１２０nから送信されてくる第１乃至第ｎの機器データ（第１乃至第ｎの電気所にそれぞれ設置された第１乃至第ｎの電力機器１３０1〜１３０n（実際には、各電気所には複数の電力機器が設置されている。）の動作内容および状態などを示すデータ）に基づいて電気所内の事故発生を検出すると、事故発生個所（事故が発生した電気所および電力機器）を系統監視盤１１２に他と区別して表示したり、事故内容に応じてベルＢＬ、ブザーＢＺまたはチャイムＣＨを鳴動させたりして（たとえば、変圧器の１次短絡が発生するとベルＢＬを鳴動させ、変圧器の重故障が発生するとブザーＢＺを鳴動させ、変圧器の軽故障が発生するとチャイムＣＨを鳴動させる。）、電気所内の事故発生を数人の当直員全員に知らせるようにしている。
【０００５】
数人の当直員は、系統監視盤１１２のベルＢＬ、ブザーＢＺまたはチャイムＣＨが鳴動すると、いずれかの電気所内で事故が発生したとして、系統監視盤１１２に他と区別して表示された事故発生個所を確認したのち、直ちに事故解消手法・手順の検討と必要個所への連絡と指示・監督とを手分けして行う。
【０００６】
また、電気所単位の警報表示試験時には、監視制御計算機１１１は、第１乃至第３の操作卓１１３1〜１１３3から対象電気所の対象電力機器（警報表示試験の対象である電気所および電力機器）についての警報表示試験開始指示信号が送られてくると、対象電気所の対象電力機器用の所定の警報表示試験手順（警報表示試験シーケンス）に従った操作信号を第１乃至第ｎの遠方監視制御装置１２０1〜１２０nに通信回線１を介して送信する。
たとえば、図７に示す第１の電気所に設置された変圧器＃２についての警報表示試験の要請が第１の電気所からあると、数人の当直員のうちの１人（以下、「第１の電気所担当の当直員」と称する。）は、第１の操作卓１１３1を用いて、第１の電気所の変圧器＃２の警報表示試験開始指示信号を監視制御計算機１１１に送信して、第１の電気所の変圧器＃２用の警報表示試験手順に従った操作信号を第１の遠方監視制御装置１２０1に通信回線１を介して送信させる。
【０００７】
これにより、たとえば第１の電気所の変圧器＃２の１次短絡時の警報表示試験を行うために、１次側遮断器１５０，１５２を遮断（開放）させる操作信号が監視制御計算機１１１から通信回線１および第１の遠方監視制御装置１２０1を介して過電流継電器（５１Ｐ）１６０に送信され、１次側遮断器１５０，１５２が過電流継電器１６０によって遮断されると、過電流継電器１６０の動作内容や状態などを示す機器データ（第１の機器データ）が過電流継電器１６０から第１の遠方監視制御装置１２０1および通信回線１を介して監視制御計算機１１１に送信される。
【０００８】
その結果、監視制御計算機１１１によって第１の電気所の変圧器＃２（事故発生個所）が系統監視盤１１２に他と区別して表示されるとともに系統監視盤１１２のベルＢＬが鳴動されるため、第１の電気所担当の当直員は、第１の電気所の変圧器＃２の１次短絡の警報表示試験結果が正常であったことを確認することができる。
【０００９】
なお、下記の特許文献１には、メンテナンス担当者が電力設備の増設時にメンテナンスの終了確認を独自の試験方法にて行うことなく簡単に行えるように、電力系統機器の状態を伝送する遠方監視制御装置と電力系統機器を定義した設備データベースとこの設備データベースに従って監視制御を行う手段を備えた電力系統監視制御装置において、電力系統機器の設備種別に対応して試験手順を定義したデータベースと、この試験手順に従って試験を実施し、試験結果の良否を判定する試験手段とから構成することが開示されている。
【先行技術文献】
【特許文献】
【００１０】
【特許文献１】特開平７−７８５１号公報
【発明の概要】
【発明が解決しようとする課題】
【００１１】
しかしながら、系統監視盤１１２はベルＢＬ、ブザーＢＺおよびチャイムＣＨを１個ずつしか備えていないので、上述した第１の電気所の警報表示試験を行っているときには、第１の電気所担当の当直員のみがベルＢＬ、ブザーＢＺまたはチャイムＣＨが鳴動するかを確認すればよいが、他の当直員はいずれかの電気所内の事故発生によりベルＢＬ、ブザーＢＺまたはチャイムＣＨが鳴動したと思って現在行っている作業を中断せざるを得ないという問題があった。
【００１２】
また、第１の電気所の警報表示試験を行っているときに第２の電気所内で実際に事故が発生した場合にも事故内容に応じてベルＢＬ、ブザーＢＺまたはチャイムＣＨが鳴動するため、第１の電気所担当の当直員および他の当直員は第１の電気所の警報表示試験によってベルＢＬ、ブザーＢＺまたはチャイムＣＨが鳴動したのか第２の電気所内の実際の事故によってベルＢＬ、ブザーＢＺまたはチャイムＣＨが鳴動したのかを瞬時に判別することができないという問題があった。
【００１３】
さらに、たとえば第１および第２の電気所から同一日に警報表示試験の要請があった場合には、同時に警報表示試験を行うと、第１および第２の電気所担当の当直員は第１および第２の電気所のいずれにおける警報表示試験によってベルＢＬ、ブザーＢＺまたはチャイムＣＨが鳴動したのか瞬時に判別することができないため、第１および第２の電気所のうちの１つに限定して警報表示試験を行わざるを得ないという問題のほか、第１の電気所の警報表示試験が新設に伴うものである場合には、警報表示試験に１日かかるため、第２の電気所については長時間の待ち状態となってしまい、効率が悪くなるという問題があった。
【００１４】
本発明の目的は、電気所の警報表示試験と実際の事故との区別が可能であるとともに複数の電気所の警報表示試験を同時に行うことができる電力系統監視制御装置を提供することにある。
【課題を解決するための手段】
【００１５】
本発明の電力系統監視制御装置は、第１乃至第ｎの電気所にそれぞれ設置された第１乃至第ｎの遠方監視制御装置（１２０1〜１２０n）と通信回線（１）を介して接続された監視制御計算機（１０）と、該監視制御計算機に接続された、かつ、前記第１乃至第ｎの電気所内の事故発生時に鳴動される警報通知手段（ＢＬ，ＢＺ，ＣＨ）を１組のみ備えた系統監視盤（１１２）と、前記監視制御計算機に接続された複数個の操作卓（１１３1〜１１３3）とを具備し、前記監視制御計算機が、前記第１乃至第ｎの電気所の少なくとも１つの電気所の警報表示試験中は、前記系統監視盤の前記警報通知手段を鳴動させる代わりに前記複数個の操作卓のうち該警報表示試験に使用している対応操作卓（１１３x）に表示した警報通知表示手段（２４〜２６）を点灯させるとともに、該警報表示試験中に実際の事故が発生した場合には、前記対応操作卓に表示した前記警報通知表示手段を点灯させることを止めて前記系統監視盤の前記警報通知手段を鳴動させる手段を備えることを特徴とする。
ここで、前記警報通知手段がベル（ＢＬ）、ブザー（ＢＺ）およびチャイム（ＣＨ）であり、前記警報通知表示手段がベルボタン（２４）、ブザーボタン（２５）またはチャイムボタン（２６）であってもよい。
前記監視制御計算機が、前記第１乃至第ｎの電気所のうち複数の電気所から同時に警報表示試験の要請があった場合には、該複数の電気所の警報表示試験中は、前記系統監視盤の前記警報通知手段を鳴動させる代わりに前記複数個の操作卓のうち該複数の電気所の警報表示試験に使用している複数個の対応操作卓に表示された警報通知表示手段を点灯させるとともに、該複数の電気所の警報表示試験中に実際の事故が発生した場合には、前記複数個の対応操作卓に表示された前記警報通知表示手段を点灯させることを止めて前記系統監視盤の前記警報通知手段を鳴動させる手段を備えてもよい。
前記監視制御計算機が、前記複数の電気所の警報表示試験のうちの１つが電気所の新設に伴うものであれば、該複数の電気所の警報表示試験中に実際の事故が発生した場合には、前記複数個の対応操作卓のうち前記新設される電気所以外の前記対応操作卓に表示された前記警報通知表示手段についてのみ点灯させることを止める手段を備えてもよい。
【発明の効果】
【００１６】
本発明の電力系統監視制御装置は、以下の効果を奏する。
（１）電気所の警報表示試験中は系統監視盤の警報通知手段を鳴動させる代わりに対応操作卓に表示した警報通知表示手段を点灯させ、電気所の警報表示試験中に実際の事故が発生した場合には、対応操作卓に表示した警報通知表示手段を点灯させることを止めて系統監視盤の警報通知手段を鳴動させることにより、電気所の警報表示試験と実際の事故との区別を可能にすることができる。
（２）複数の電気所から同時に警報表示試験の要請があった場合には、複数の電気所の警報表示試験中には系統監視盤の警報通知手段を鳴動させる代わりに複数個の対応操作卓に表示した警報通知表示手段を点灯させることにより、複数の電気所の警報表示試験を同時に行うことができる。
（３）既設の電力設備を監視しながら電気所単位の警報表示試験を行うことができる。
【図面の簡単な説明】
【００１７】
【図１】本発明の一実施例による電力系統監視制御装置が具備する監視制御計算機１０の構成を示すブロック図である。
【図２】図１に示した監視制御計算機１０の動作について説明するためのフローチャートである。
【図３】第１の電気所の警報表示試験中に第１の操作卓１１３1に表示される対象電気所用警報表示試験画面２０について説明するための図である。
【図４】第１の電気所の警報表示試験中に第１の操作卓１１３1に表示される対象電気所用警報表示試験画面２０について説明するための図である。
【図５】第１の電気所の警報表示試験中に第１の操作卓１１３1に表示される対象電気所用警報表示試験画面２０について説明するための図である。
【図６】従来の電力系統監視制御装置１１０の構成を説明するための図である。
【図７】図６に示した監視制御計算機１１１の動作について説明するための図である。
【発明を実施するための形態】
【００１８】
上記の目的を、監視制御計算機が、電気所の警報表示試験中は、系統監視盤のベル、ブザーおよびチャイムを鳴動させる代わりに対応操作卓に表示したベルボタン、ブザーボタンおよびチャイムボタンを点灯させるとともに、電気所の警報表示試験中に実際の事故が発生した場合には、対応操作卓に表示したベルボタン、ブザーボタンおよびチャイムボタンを点灯させることを止めて系統監視盤のベル、ブザーおよびチャイムを鳴動させることにより実現した。
【実施例１】
【００１９】
以下、本発明の電力系統監視制御装置の実施例について図面を参照して説明する。
本発明の一実施例による電力系統監視制御装置は、図１に示す監視制御計算機１０が電気所の警報表示試験中は系統監視盤１１２のベルＢＬ、ブザーＢＺおよびチャイムＣＨを鳴動させる代わりに第１乃至第３の操作卓１１３1〜１１３3のうち警報表示試験に使用している操作卓（以下、「対応操作卓１１３x」と称する。）に表示したベルボタン（ＢＬ）、ブザーボタン（ＢＺ）およびチャイムボタン（ＣＨ）を点灯させるとともに、電気所の警報表示試験中に実際の事故が発生した場合には対応操作卓１１３xに表示したベルボタン、ブザーボタンおよびチャイムボタンを点灯させることを止めて系統監視盤１１２のベルＢＬ、ブザーＢＺおよびチャイムＣＨを鳴動させることを特徴とする。
【００２０】
そのため、監視制御計算機１０は、図１に示すように、送受信部１１と、監視制御部１２と、表示個所切換部１３と、画面表示制御部１４と、警報表示試験部１５と、試験手順データベース（試験手順ＤＢ）１６とを具備する。
【００２１】
ここで、送受信部１１は、通信回線１を介して第１乃至第ｎの遠方監視制御装置１２０1〜１２０n（図６参照）との間で各種のデータや信号のやり取りを行う。
【００２２】
監視制御部１２は、送受信部１１を介して第１乃至第ｎの遠方監視制御装置１２０1〜１２０nから送信されてくる第１乃至第ｎの機器データに基づいて第１乃至第ｎの電気所内の事故発生を検出する機能や、警報表示試験部１５からの操作信号を第１乃至第ｎの遠方監視制御装置１２０1〜１２０nに送受信部１１を介して送信する機能など、図６に示した従来の監視制御装置１１１が具備する監視制御部と同様の機能を有する。
また、監視制御部１２は、電気所の警報表示試験中に実際の事故発生を検出すると、表示個所を対応操作卓１１３xから系統監視盤１１２に切り換えるように指示する表示個所切換指示信号を表示個所切換部１３に出力する。
【００２３】
表示個所切換部１３は、常時は系統監視盤１１２を表示個所として選択しており、監視制御部１２によって事故発生が検出されると、系統監視盤１１２に事故発生個所を他と区別して表示したり事故内容に応じて系統監視盤１１２のベルＢＬ、ブザーＢＺまたはチャイムＣＨを鳴動させたりする。
また、表示個所切換部１３は、対応操作卓１１３xから画面表示制御部１４を介して警報表示試験開始指示信号が送信されてくると、表示個所を系統監視盤１１２から対応操作卓１１３xに切り換える。
さらに、表示個所切換部１３は、監視制御部１２から表示個所切換指示信号が入力されると、表示個所を対応操作卓１１３xから系統監視盤１１２に切り換える。
【００２４】
画面表示制御部１４は、対応操作卓１１３xから対象電気所の警報表示試験開始指示信号が入力されてくると、対象電気所における電力系統図、試験ボタンおよび試験結果表示欄を有する対象電気所用警報表示試験画面を対応操作卓１１３xに表示させる。
また、画面表示制御部１４は、対応操作卓１１３xにおいて試験ボタンがクリックされたことを示す試験ボタンクリック信号が対応操作卓１１３xから入力されてくると、ベルボタン、ブザーボタンおよびチャイムボタンを対象電気所用警報表示試験画面に追加して対応操作卓１１３xに表示させる。
さらに、画面表示制御部１４は、対応操作卓１１３xにおいて試験対象範囲がドラッグされて指定されたことを示す試験対象範囲指定信号が対応操作卓１１３xから入力されてくると、試験対象範囲指定信号によって示される試験対象範囲について警報表示試験を行うように指示する試験指示信号を警報表示試験部１５に出力する。
さらにまた、画面表示制御部１４は、試験結果表示指示信号が警報表示試験部１５から入力されると、警報表示試験結果を対象電気所用警報表示試験画面に追加して対応操作卓１１３xに表示させるとともに、警報表示試験結果に応じて対象電気所用警報表示試験画面上のベルボタン、ブザーボタンまたはチャイムボタンを点灯させる。
【００２５】
警報表示試験部１５は、画面表示制御部１４から入力されてくる試験指示信号によって示される試験対象範囲に基づいて試験手順データベース１６にアクセスして、対象電気所の試験対象範囲についての警報表示試験手順データを試験手順データベース１６から読み出したのち、読み出した警報表示試験手順データによって示される警報表示試験手順に従った操作信号を対象電気所の遠方監視制御装置（以下、「対応遠方監視制御装置１２０x」と称する。）に監視制御部１２および送信部１１を介して送信する。
また、警報表示試験部１５は、対応遠方監視制御装置１２０xから送信部１１および監視制御部１２を介して送信されてくる機器データに基づいて警報表示試験結果を判定し、判定した警報表示試験結果を対象電気所用警報表示試験画面に追加して対応操作卓１１３xに表示させるように指示する試験結果表示指示信号を画面表示制御部１４に出力する。
【００２６】
試験手順データベース１６には、第１乃至第ｎの電気所における警報表示試験手順データが試験対象範囲ごとに格納されている。
【００２７】
次に、監視制御計算機１０の動作について、図７に示した第１の電気所に設置された変圧器＃２を試験対象として警報表示試験を行う場合を例として、図２乃至図５を参照して説明する。
なお、図３乃至図５において、１次側遮断器１５０，１５２などの遮断器については、投入されている状態を黒塗りで示し、遮断されている状態を灰色塗りで示す（図７においても同様である。）。
【００２８】
第１の電気所に設置された変圧器＃２についての警報表示試験の要請が第１の電気所からあると、第１の電気所担当の当直員は、第１の操作卓１１３1（図６参照）から監視制御計算機１０に第１の電気所の警報表示試験開始指示信号を入力する（図２のステップＳ１１）。
【００２９】
監視制御計算機１０の画面表示制御部１４は、第１の操作卓１１３1から第１の電気所の警報表示試験開始指示信号が入力されてくると、図３に示すように第１の電気所における電力系統図２１、試験ボタン２２および試験結果表示欄２３を有する第１の電気所用警報表示試験画面２０を第１の操作卓１１３1に表示させる。
また、表示個所切換部１３は、第１の操作卓１１３1から画面表示制御部１４を介して警報表示試験開始指示信号が送信されてくると、表示個所を系統監視盤１１２から第１の操作卓１１３1に切り換える（以上、ステップＳ１２）。
【００３０】
第１の電気所担当の当直員は、第１の電気所用警報表示試験画面２０が第１の操作卓１１３1に表示されると、図４に網掛で示すように試験ボタン２２をクリックする。
これにより、第１の操作卓１１３1において試験ボタン２２がクリックされたことを示す試験ボタンクリック信号が第１の操作卓１１３1から監視制御計算機１０に入力される（ステップＳ１３）。
【００３１】
画面表示制御部１４は、試験ボタンクリック信号が第１の操作卓１１３1から入力されてくると、図４に示すようにベルボタン２４、ブザーボタン２５およびチャイムボタン２６を第１の電気所用警報表示試験画面２０に追加して第１の操作卓１１３1に表示させる（ステップＳ１４）。
【００３２】
第１の電気所担当の当直員は、ベルボタン２４、ブザーボタン２５およびチャイムボタン２６が第１の操作卓１１３1に表示されると、第１の操作卓１１３1に表示された電力系統図２１の変圧器＃２を取り囲む試験対象範囲をドラッグする（図４に示す破線の四角枠参照）。
これにより、第１の操作卓１１３1において試験対象範囲がドラッグされて指定されたことを示す試験対象範囲指定信号が第１の操作卓１１３1から監視制御計算機１０に入力される（ステップＳ１５）。
【００３３】
画面表示制御部１４は、試験対象範囲指定信号が第１の操作卓１１３1から入力されてくると、試験対象範囲指定信号によって示される試験対象範囲（この例では、第１の電気所の変圧器＃２）について警報表示試験を行うように指示する試験指示信号を警報表示試験部１５に出力する（ステップＳ１６）。
【００３４】
警報表示試験部１５は、試験指示信号が画面表示制御部１４から入力されてくると、この試験指示信号によって示される第１の電気所の試験対象範囲に基づいて試験手順データベース１６にアクセスして、第１の電気所の試験対象範囲についての警報表示試験手順データを試験手順データベース１６から読み出したのち、読み出した警報表示試験手順データによって示される警報表示試験手順に従った操作信号を第１の遠方監視制御装置１２０1に監視制御部１２および送信部１１を介して送信する（ステップＳ１７）。
これにより、たとえば第１の電気所の変圧器＃２の警報表示試験を行うために、１次側遮断器１５０，１５２および変圧器＃２と母線との間の遮断器が投入される。その結果、これらの遮断器の状態などを示す第１の機器データがこれらの遮断器から第１の遠方監視制御装置１２０1および通信回線１を介して監視制御計算機１０に送信され、第１の電気所用警報表示試験画面２０におけるこれらの遮断器の表示が図４に示すように灰色塗りから黒塗りに画面表示制御部１４によって切り換えられる。その後、１次側遮断器１５０，１５２（図７参照）を遮断させる操作信号が監視制御計算機１０から通信回線１および第１の遠方監視制御装置１２０1を介して過電流継電器１６０へ送信され、１次側遮断器１５０，１５２が過電流継電器１６０によって遮断されると、１次側遮断器１５０，１５２および過電流継電器１６０の動作内容や状態などを示す第１の機器データが過電流継電器１６０から第１の遠方監視制御装置１２０1および通信回線１を介して監視制御計算機１０に送信される。その結果、第１の電気所用警報表示試験画面２０における１次側遮断器１５０，１５２の表示が図５に示すように黒塗りから灰色塗りに画面表示制御部１４によって切り換えられる。
【００３５】
監視制御部１２は、第１の遠方監視制御装置１２０1から第１の機器データが送信されてきたため、実際の事故が発生したものではないと判定して、第１の機器データを警報表示試験部１５に出力する（ステップＳ１８）。
【００３６】
警報表示試験部１５は、第１の機器データに基づいて警報表示試験結果を判定し、判定した警報表示試験結果を第１の電気所用警報表示試験画面２０に追加して第１の操作卓１１３1に表示させるように指示する試験結果表示指示信号を画面表示制御部１４に出力する（ステップＳ１９）。
【００３７】
画面表示制御部１４は、試験結果表示指示信号が警報表示試験部１５から入力されてくると、警報表示試験結果を第１の電気所用警報表示試験画面２０に追加して第１の操作卓１１３1に表示させるとともに、警報表示試験結果に応じてベルボタン２４、ブザーボタン２５またはチャイムボタン２６を点灯させる（ステップＳ２０）。
たとえば、「第１の電気所の変圧器＃２の１次短絡」という警報表示試験結果が入力されてくると、画面表示制御部１４は、図５に示すように試験結果表示欄２３の「変圧器＃２」および「１次短絡」を黒四角とした第１の電気所用警報表示試験画面２０を第１の操作卓１１３1に表示させるとともに、図５に網掛で示すようにベルボタン２４を点灯させる。
【００３８】
第１の電気所担当の当直員は、第１の操作卓１１３1に警報表示試験結果が表示されると、警報表示試験を終了するために試験ボタン２１をクリックする。表示個所切換部１３は、第１の操作卓１１３1において試験ボタン２２がクリックされたことを示す試験ボタンクリック信号が第１の操作卓１１３1から画面表示制御部１４を介して入力されると、表示個所を第１の操作卓１１３1から系統監視盤１１２に切り換える。これにより、監視制御計算機１０は通常動作に戻る（ステップＳ２１）。
【００３９】
一方、ステップＳ１８において、第１の遠方監視制御装置１２０1から第１の機器データが送信されてくる前に第２乃至第ｎの遠方監視制御装置１２０2〜１２０nのいずれかから第２乃至第ｎの電気所内の事故発生を示す第２乃至第ｎの機器データが送信されてくると、監視制御部１２は、実際の事故が発生したと判定して、表示個所を第１の操作卓１１３1から系統監視盤１１２に切り換えるように指示する表示個所切換指示信号を表示個所切換部１３に出力する（ステップＳ２２）。
【００４０】
表示個所切換部１３は、監視制御部１２から表示個所切換指示信号が入力されてくると、表示個所を第１の操作卓１１３1から系統監視盤１１２に切り換える。これにより、監視制御計算機１０は通常動作に戻る（ステップＳ２３）。
【００４１】
なお、第１および第２の電気所から同時に警報表示試験の要請があった場合には、第１および第２の電気所担当の当直員は第１および第２の操作卓１１３1，１１３2を用いて監視制御計算機１０に対して同様の動作を行わせることにより、いずれか一方の警報表示試験を遅らせることなく並行して行うことができる。
このとき、たとえば第３の電気所内で実際に事故が発生した場合には、監視制御計算機１０の監視制御部１２は、表示個所を第１および第２の操作卓１１３1，１１３2から系統監視盤１１２に切り換えるように指示する表示個所切換指示信号を表示個所切換部１３に出力する（ステップＳ２２参照）。これにより、第１および第２の電気所担当の当直員を含めた数人の当直員全員で第３の電気所内の事故に対応させることができる。
ただし、第１の電気所の警報表示試験が新設に伴うものであれば、監視制御部１２は、表示個所を第２の操作卓１１３1のみを系統監視盤１１２に切り換えるように指示する表示個所切換指示信号を表示個所切換部１３に出力して、第１の電気所担当の当直員はそのまま第１の電気所の警報表示試験を継続させ、第２の電気所担当の当直員を含めた他の当直員全員で第３の電気所内の事故に対応させてもよい。
【００４２】
なお、ステップＳ１３において試験ボタン２２がクリックされると、警報表示試験の対象である電気所名（第１の電気所）を対応操作卓１１３xに音声で出力させることにより、担当の当直員に注意喚起するようにしてもよい。
【符号の説明】
【００４３】
１  通信回線
１０  監視制御計算機
１１  送受信部
１２  監視制御部
１３  表示個所切換部
１４  画面表示制御部
１５  警報表示試験部
１６  試験手順データベース（試験手順ＤＢ）
２０  第１の電気所用警報表示試験画面
２１  電力系統図
２２  試験ボタン
２３  試験結果表示欄
２４  ベルボタン
２５  ブザーボタン
２６  チャイムボタン
１１０  電力系統監視制御装置
１１１  監視制御計算機
１１２  系統監視盤
１１３1〜１１３3  第１乃至第３の操作卓
１１３x  対応操作卓
１２０1〜１２０n  第１乃至第ｎの遠方監視制御装置
１２０x  対応遠方監視制御装置
１３０1〜１３０n  第１乃至第ｎの電力機器
１５０，１５２  １次側遮断器
１６０  過電流継電器
ＢＬ  ベル
ＢＺ  ブザー
ＣＨ  チャイム
＃１，＃２  変圧器
Ｓ１１〜Ｓ２３  ステップ
【図１】
2012095479.tif 000003
【図２】
2012095479.tif 000004
【図３】
2012095479.tif 000005
【図４】
2012095479.tif 000006
【図５】
2012095479.tif 000007
【図６】
2012095479.tif 000008
【図７】
2012095479.tif 000009